(57)【要約】【課題】ラツキヨウ、ニンニクなどの栽培は、植え付け種球を圃場に一定の深さ、一定の間隔で天地方向などの植え付姿勢も成長に重要であるので、植え付け作業には多くの労力が必要となる重労働作業が必要とされている。【解決手段】１対のテープで種ラツキョウを包み込み、指定間隔で方向性もそろえた種球連包状態のテーピング方法やそのテーピング状態を製造する「連続種球テープ製造装置」を提供する事で、テープ状の種球を圃場で効率的な植え作業を実現する、【選択図】図１
2013116095.tif 000002
【特許請求の範囲】
【請求項１】
上部に発芽部と下部に根部を有する種ニンニクや種ラツキョウ、むかご、鱗茎苗等の比較的大きなサイズの種球を、所定間隔ごとの一定のピッチで、種球の発芽部を一方に揃える状態姿勢に横断させてセルロースなどが主成分の土中で分解されやすい一対からなる生分解性の紙テープ間に、種球を可及的に隙間無く包み込むようにテーピングすることで、圃場での植え付け作業を軽減し、種球の自立保持と活着を促進するテーピング形態にしたことを特徴とする連続種球テーピング方法。
【請求項２】
連続苗テーピング装置のテープが電子部品である電解コンデンサの内部部品として利用され、その成分の植物性セルロースが高純度に保たれ、厚さ規格が多種に存在しながらも、量産電子部品の部品として利用されていることによって廉価に入手可能な紙を利用することが特長の請求項１に記載のテーピング方法。
【請求項３】
一対の紙テープは片側に強度を持つ厚さの厚い紙からなる第一被覆テープと、もう片方には、柔軟で厚さの薄い素材からなる第二被覆テープを使うことで包装時に被覆テープを種球に密接状に沿わせて被覆して種球にフィットした状態となり、また片側の薄い紙からなる第ニ被覆テープは早期に分解し種球の開放を早期に実現する特長を持つことで、植え込みまでは強度を保ちしっかり種球を固定しながらも、早期の発芽や根の成長を妨げない請求項１に記載のテーピング方法。
（また厚さだけでなく、密度の粗密を選択し柔軟性や強度の利用可能とすることもできる特長を持つ。）
【請求項４】
請求項１のテーピング方法において、そのテーピング方法が、種となる球根類を包むようにすることで、植え込みまでは落下等が発生する事無くテーピング状態が保持され、テープ材の扱いが容易である事が特長のテーピング方法。
【請求項５】
請求項１のテーピング方法において、そのテーピング方法が、種となる球根類を包むように包装する手段に、包装される種球とテープの密着特性を作る方法に負圧吸引を利用することで、形状や寸法が均一でない種球にフィットした状態でテーピング状態形成されることが特長のテーピング方法。
【発明の詳細な説明】
【技術分野】
【０００１】  本発明は、  種ニンニクや種ラツキョウ、むかご、鱗茎苗等の比較的大きなサイズの種球（球根類）を、一定のピッチでセルロースなどが主成分の土中で分解されやすい紙テープに包み込むようにテーピングすることで、圃場での植え付け作業を軽減するテーピング方法と、その製造装置に関するものである。
【背景技術】
【０００２】  一般に、ラツキヨウやニンニク等の栽培はその種球を圃場に植付けるが、植付け深さ、姿勢、ピッチ間隔などに十分な注意が必要であり、例えばラツキヨウの場合は、そのピッチ間隔が行ピッチ（株間）約７センチ×列ピッチ（条間）約２４センチ付近と高密度であることから、１反（約１０アール）に約６万個もの種ラツキヨウを植えることとなる。また、これらの植え付時期が８月から９月頃の高温で日射の強い時期に行なう長時間作業が重労働作業でもあり問題となっていた。【０００３】  特開平５−７６２１４号公報（特許文献１）の種球の植付け方法では、本発明と同様に種球をテーピングする方法についての記載が開示されていて、多様な形状を持つ種球に粘着テープでその「種球自体」を粘着テーピングする方法が提案されているが、種球外周の薄皮部分を粘着テープ固定で行っても、安定したテーピング状態が保ちにくく（薄皮が剥げれば脱落の恐れあり）、さらに、その粘着テープが土中で早期に分解し、成長の妨げになりにくい材質で特性を作る点も配慮されていなく発芽成育の確実性に乏しかった。また、特殊素材はコスト高となることを避けにくかった。【０００４】  特開２０１１−４１５３８号公報（特許文献２）の連続苗用テープの製造方法、連続苗用テープ、及び植え付け機では、１対のテープを貼り合わせる時に片側のテープを湾曲や折り曲げにより片側のテープに凸部を作り、この凸部をポケットのようにして種球収容部を形成するテープ張り合わせ手段が提案されているが、例えばラツキヨウやニンニクの種球は中央部が膨らんだ形状が主であり多様な形状や大きさがあることで、あらかじめ作られたポケット寸法にフィットして落下しない形状サイズとなることは期待できない。ゆえに安定したテーピング状態を維持することは困難であり、落下による作業ロスや、詰め直しの作業が必要となる問題があり実用化が困難である。
【先行技術文献】
【特許文献】
【０００５】
【特許文献１】特開平５−７６２１４号公報
【特許文献２】特開２０１１−４１５３８号公報
【特許文献３】特開平７−２８９０２３号公報
【特許文献４】特開平８−１２号公報
【０００６】
【発明の概要】
【発明が解決しようとする課題】
【０００７】本発明が解決しようとする問題点は、炎天下の圃場などで行われる長時間の種球植え付け作業の合理化を図り、従事者の重労働からの解放を行なうものであり、その方法として、▲１▼種球を紙テープ状に連続充填する方法および▲２▼種球をテープに充填し連包種球テープをリール状に巻き取った状態を容易に製造する装置を開発し、▲３▼連包種球テープを圃場に植え付ける装置を開発し、種球の植え付け作業を総合的かつ合理的に提供することである。
【課題を解決するための手段】
【０００８】本発明はこれらの課題解決、要求を満たすものとして「安定した種球のテーピング」と、「連包種球テープのリール」の製造方法、圃場への植え付けの自動化実現を行なう装置を具現化する。【０００９】種球のテーピングは、従来のように種球に直接粘着テープを接着したり、あらかじめ用意したポケット空間に種球を挿入する手法では無く、１対のテープの第一被覆テープと第二被覆テープの間に種球を挟み込んだ状態で第一被覆テープと第二被覆テープの間の空気を負圧吸引することで、種球周りにフィットして包み込む形状を作りながら、両テープの接点を「のり」で接着する方法を行い、テーピングされた種球はテープに包まれた状態で固定されることで横に倒れたり、落下や脱落が発生しにくい状態となる。【００１０】圃場に植えられた種球を包んでいる紙のテープは、電子部品材料である電解コンデンサの部品として大量生産されているセパレーター紙を転用しているものであり、その求められる品質である「多成分が混入することの無い純粋植物性セルロース」の特性を有し、密度や厚さ特性も正確に管理された材料である特長を持つために土中での分解も安定して行われ、作物に対する安全性も極めて高い物である。【００１１】テープの接着面は種球が持つ形状の特長に合わせて容易に変更が可能で、２枚の紙テープの片側は、強度を持つ（説明上仮寸法８０ミクロン）厚さの第一被覆テープ（１）と，もう片側の上から種球を包み込む（説明上仮寸法４０ミクロン）柔軟な第二被覆テープ（２）とにより、挟み込む状態で包み込む。【００１２】上記には、セパレーター紙は８０ミクロンと４０ミクロンの２種の厚さを例としたが、電解コンデンサのセパレーターとして利用されている紙は、種々の厚さや、密度がコンデンサの特性を制御するために規格化され、量産されているので、セパレーター紙の種類を任意に選ぶことができて、種球の種類形状や、圃場の土質などによって、さまざまな組み合わせを行なうことが可能であり、一般的に農業で使われている紙シートと比較して、性能やコストに優れている。農業用の紙シートで強度や厚さが詳細選択できるものは存在しない為、特注品となり、コスト面で高価な物となるが、量産品の電解コンデンサに利用されている、セパレーター紙は廉価でありながらも高安定な厚さや密度が保たれた状態での量産が行われている。【００１３】２枚の紙テープの間にセットされた種球は、下側の第一被覆テープ（１）と上側の第二被覆テープ（２）に挟まれた状態で第一被覆テープ（１）と第二被覆テープ（２）の間の間隙中の空気を第一被覆テープに設けた通気孔（６）を経由して下方に設けたバキュームユニットにより吸引を行なうことで「蒲団圧縮袋が蒲団を圧縮し収縮」するように、種球に第二被覆テープ（２）をフィットさせる。【００１４】この負圧吸引の直前にでんぷんのり（５）を種球と種球の間にシリンジによって適量塗布することで、吸引完了時に第一被覆テープと第二被覆テープは接着状態となり種球（４）を袋状に包み込む包装姿勢となる。【００１５】接着を完了すると、種球入りのテープはリールに所定の張力で巻取を行い、指定長さの巻取後、種球テープリールは完成し、この状態での冷暗所保管が可能となる。【００１６】種球テープリールは、圃場において、トラクターや管理機によって畝を作り、リールからテープを解きながら土中に埋設を行なう。【００１７】従来の方法は、ラツキヨウの場合１反の圃場に行内株間２４センチ間隔と列条間７センチ間隔のピッチで３人が炎天下の圃場で、約６万個の種球を移植しているが、仮に一人が２秒で１個を移植したとしても、計算上１２万秒が必要であるので３人の場合でも一人当たり４万秒の作業時間が必要である。そのため植え付け作業時間は１１時間以上を要することになるが、このテーピング方式で植え付けを行なう場合には、７条植のトラクターでテーピングリールを時速２キロメートルで敷設する場合、１００メートル圃場を往復して６回走行に要する時間は正味有効時間５０パーセントとしても、４０分程度で完了することとなり、約１反の植え付けが完了する。したがってこの手法を用いることで、飛躍的な効率改善が実現されることとなる。【００１８】圃場でリールを解きながら土中に埋設する方法は、多くの方法が有り、７条植えや、２条植えなどの条数は圃場の形状や起伏状態土質などによって選定が必要であるが多条植えであってもテープからの種球落下や、テープが切れずに安定して供給されることが重要な要素の一つである。【００１９】テープは強度を保ちながらも圃場の土中ではバクテリアなどによる分解が早期に行われ、またその分解物が生育物の成長妨げや作物特性劣化を及ぼさないように注意が必要であるが、適切な密度や厚さを選定してテープに種球を包み込むテーピング手法を実現することで、作物の安全性や品質にも大きなメリットがある。【００２０】  「安定した種球のテーピング」と、「連包種球テープのリール」の製造方法や省力設備、圃場への植え付けの自動化実現を行なう装置を具現化する。
【発明の効果】
【００２１】従来の方法は、ラツキヨウの場合１反の圃場に行２４センチ間隔と列７センチ間隔のピッチで３人が炎天下の圃場で、約６万個の種球を移植しているが、仮に一人が２秒で１個を移植したとしても、計算上は１２万秒が必要であるので３人の場合でも一人当たり４万秒の作業時間が必要である。そのため植え付け作業時間は１１時間以上を要することになるが、このテーピング方式で植え付けを行なう場合には、７条植のトラクターでテーピングリールを時速２キロメートルで敷設する場合、１００メートルを６回走行に要する時間は正味有効時間５０パーセントとしても、４０分程度で完了することとなり、約１反の植え付けが完了する。したがってこの手法を用いることで、飛躍的な効率改善となる。【００２２】図１は種球が２枚の紙テープに挟み込まれて接着用のでんぷんのり（５）が既に塗布された状態で負圧に吸引された後の紙テープに種球が包まれた状態（４）を示す斜視図であるが、種球は、第二被覆テープが種球の外形に沿って密着状に変形しフィット状態で周囲をのり（５）で接着される為、非常に安定した状態で位置が固定され、テープをリール巻取時や、圃場でリールから解かれる段階での落下等によるトラブルの発生が非常に少なく効率的な植え付けが行われる。
また、この形態での包装は指定の株間ピッチ（３）の間隔で連続して行われる。【００２３】図３は種球が２枚の紙テープに挟み込まれてリールに巻きとられるまでの作業を効率的に行なうためのテーピング装置の構成を示すものであるが、２種の第一被覆テープ巻状態（１０）と第二被覆テープ巻状態（１１）をホルダーにセットし、巻取リール（７）に接続すると、種球セット作業者１（１５）と種球セット作業者２（１６）によって、種球セットホルダ（１７）に指定の株間ピッチで指定数を手作業でセットする。その後、種球セットホルダ（１７）と第一被覆テープ（１），第二被覆テープ（２）およびセットされた種球が図の左側に間欠搬送され、第二被覆テープ（２）の上部から上部スポンジ押さえユニット（１３）によって挟み込む動作を行い種球セットホルダ（１７）は後退回避する。【００２４】この状態で下部に設けた負圧吸引ユニット（１４）により第一被覆テープ（１）にあらかじめ作られた吸引孔（６）を経由して２枚のテープ間の空気が吸引されることで、種球に第二被覆テープ（２）がピッタリと種球の外形に沿って密着状にフィットした状態で第一被覆テープ（１）に塗布されていたのり（５）によるテープ間接着が行われる。【００２５】接着が完了する頃には、上流で作業者が次の種球のセットが終了し、前述のサイクルがくり返し行われるので、接着テーピング済みのテープは下流の巻取リール（７）側に送られ、巻取リール（７）は、中間におかれたたるみ検知センサ（９）が一定以上のたるみを検知すると巻き上げ動作を開始することで、適正な張力での巻取を実現する。【００２６】種球のテーピングが完了しリールに所定の長さを巻き取ったリールは、次々に同様の繰り返し作業で製造され、後に圃場で移植されるまでの期間、冷闇場所で保存される。【００２７】図６は圃場でトラクター（２６）によって送りだしリール（２８）から種球入りテープを解きながら移植を行っている側面図であるが、リールから出てきた姿勢は移植までの移動経路に設置されているガイドシュート（３１）で９０度ねじれる動作を行なうことで、水平姿勢から、芽部が天に向かった姿勢に姿勢変更を行い垂直姿勢のテーピング種球排出部（３７）から圃場に植え付けられる。【００２８】水平方向で上部のリールから供給されている種球のテーピング品（４）がガイドシュート（３１）のねじれた形状により水平から垂直に姿勢変更後に垂直姿勢のテーピング種球排出部（３７）から圃場に植え付けられるが、管理機やトラクターによって作られた畝の一部を土寄せヘラ（３２）でかき落とし、垂直姿勢のテーピング種球排出部（３７）付近の左右に案内することで垂直姿勢のテーピング品は倒れること無く、圃場に移植される。
すなわち、垂直姿勢のテーピング種球排出部（３７）はすでに左右が土や砂で埋まった状態となるので「ミミズが排泄」を行なうような形態でテーピング種球を土中や砂中に移植することとなる。
【図面の簡単な説明】
【００２９】
【図１】本発明の種球のテーピング状態を示す斜視図である。
【図２】本発明の種球のテーピング状態を示す断面図である。
【図３】本発明の種球を効率良くテーピング状態に加工を行なうテーピング装置の側面図である。
【図４】本発明の種球を効率良くテーピング状態に加工を行なうテーピング装置の種球セットホルダの動作説明図である。
【図５】本発明の種球を効率良くテーピング状態に加工を行なうテーピング装置の細部の機能説明を斜視図である。
【図６】圃場でトラクターによって送出リール（２８）から種球入りテープを解きながら移植を行っている側面図である。
【図７】圃場でトラクターによって送出リール（２８）から種球入りテープを解きながら移植を行っている植え付け部の機構の斜視図である。
【発明を実施するための形態】
【実施例】
【００３０】図１は、テーピングされた種球の姿を示すものであるが、土中で容易に分解されるセルロース１００パーセントの厚さや密度の管理された紙テープであり、その紙テープに一定ピッチで方向を揃えて包まれた状態で種球の周辺紙をのり付け接着し連包状態の包装姿勢でテーピングが行われた姿である。【００３１】この状態で中に包まれている種球は作業者によって方向姿勢を一定の状態となっているが、図３に示す、テーピング装置によって効率的に作られる。【００３２】図３は種球が２枚の紙テープに挟み込まれてリールに巻きとられるまでの作業を効率的に行なうためのテーピング装置の構成を示すものであるが、２種の第一被覆テープ巻状態（１０）と第二被覆テープ巻状態（１１）をホルダーにセットし、巻取リール（７）に接続すると、種球セット作業者１（１５）と種球セット作業者２（１６）によって、種球セットホルダ（１７）に指定のピッチで指定数を手作業でセットする。
その後、種球セットホルダ（１７）と第一被覆テープ（１），第二被覆テープ（２）およびセットされた種球が図の左側に間欠搬送され、第二被覆テープ（２）の上部から上部スポンジ押さえユニット（１３）によって挟み込む動作を行い種球セットホルダ（１７）は後退回避する。【００３３】この状態で下部に設けた負圧吸引ユニット（１４）により第一被覆テープ（１）にあらかじめ作られた吸引孔（６）を経由して２枚のテープ間の空気が吸引されることで、種球に第二被覆テープ（２）が種球の外周にピッタリと密着状にフィットした状態で第一被覆テープ（１）に塗布されていたのり（５）によるテープ間接着が行われる。
すなわち、図５に示すように、２枚の紙テープの間にセットされた種球は、下側の第一被覆テープ（１）と上側の第二被覆テープ（２）に挟まれた状態で第一被覆テープ（１）と第二被覆テープ（２）の間の間隙中の空気を第一被覆テープに設けた通気孔（６）を経由して下方に設けたバキュームユニットにより吸引を行なうことで「蒲団圧縮袋が蒲団を圧縮し収縮」するように、種球に第二被覆テープ（２）をフィットさせる。
この負圧吸引の直前にでんぷんのり（５）を種球と種球の間にシリンジによって適量塗布することで、吸引完了時に第一被覆テープと第二被覆テープは接着状態となり種球（４）を袋状に包み込む包装姿勢となる。
なお、でんぷんのり（５）は接着機能があるものであれば代替えの接着剤でも良くでんぷんのりに限るものではない。【００３４】接着が完了する頃には、上流で作業者が次の種球のセットが終了し、前述のサイクルがくり返し行われるので、接着テーピング済みのテープは下流の巻取リール（７）側に送られ、巻取リール（７）は、中間におかれたたるみ検知センサ（９）が一定以上のたるみを検知すると巻き上げ動作を開始することで、適正な張力での巻取を実現する。【００３５】種球のテーピングが完了しリールに所定の長さを巻き取ったリールは、次々に同様の繰り返し作業で製造され、後に圃場で移植されるまでの期間、冷闇場所で保存される。【００３６】図６は圃場でトラクター（２６）によって送りだしリール（２８）から種球入りテープを解きながら移植を行っている側面図であるが、リールから出てきた姿勢は移植までの移動経路に設置されているガイドシュート（３１）で９０度ねじれる動作を行なうことで、水平姿勢から、芽部が天に向かった姿勢に姿勢変更を行い垂直姿勢のテーピング種球排出部（３７）から圃場に植え付けられる。【００３７】水平方向で上部のリールから供給されている種球のテーピング品（４）がガイドシュート（３１）のねじれた形状により水平から垂直に姿勢変更後に垂直姿勢のテーピング種球排出部（３７）から圃場に植え付けられるが、管理機やトラクターによって作られた畝の一部を土寄せヘラ（３２）でかき落とし、垂直姿勢のテーピング種球排出部（３７）付近の左右に案内することで垂直姿勢のテーピング品は倒れること無く、圃場に移植される。
すなわち、垂直姿勢のテーピング種球排出部（３７）はすでに左右が土や砂で埋まった状態となるので「ミミズが排泄」を行なうような形態でテーピング種球を土中や砂中に移植することとなる。【００３８】種球は、紙テープに包まれた状態で土や砂中に埋設されるが、種球を包んでいる紙テープは純度の高い植物性セルロースであるので一ヶ月程度の比較的短期間に土中の微生物、バクテリアなどによる分解が進むことで、種球の成長を妨げるようなことは無い。また、第一被覆テープ（１）と第二被覆テープ（２）のうち片側を薄い材質として組み合わせた場合は、特に片側の分解期間が短いため早期の種球開放が実現する。
防腐剤や、漂白剤等の不純物を含まない純粋なセルロース成分と、でんぷんのり成分で構成されるため、作物の安全性や、成長阻害等の危険性が非常に低く優れた農法になる。【００３９】また、紙テープは、吸水により繊維質の結合が弱まることで濡れた砂や土に埋設する時に不都合が生じる場合は、吸水の進行を妨げる目的で、フッ素系やシリコン系の防水材を部分的に事前に含浸する方法等があるが、コストや自然界への影響に未知部分もあるので、利用には十分な検討が必要であるが、種球の種類によっては、紙テープにあらかじめ、肥料成分や消毒剤等の成分を含浸したものを利用することで、作業効率の改善以外のメリットも期待できる。【００４０】上記のように植え付け性以外でも保水性や、肥料の含浸等の効果を狙うことも考えられるので、２枚のテープではさむ手法に加えて、機能紙を追加する３枚や４枚のテーピングを行なうことも可能である。
【産業上の利用可能性】
【００４１】種ニンニクや種ラツキョウ、むかご、鱗茎苗等の比較的大きなサイズの種（球根類）の植え付けにおいて、飛躍的な作業効率の改善や重労働からの解放を実現することが可能となる。
【符号の説明】１    第一被覆テープ
２    第二被覆テープ
３    間隔寸法１
４    テーピング状態内部種球
５    接着用のり
６    吸引孔
７    巻取リール
８    テーピン状態種球
９    たるみ検出距離センサ
１０  第一被覆テープ巻状態
１１  第二被覆テープ巻状態
１２  種球セット位置
１３  上部スポンジ押さえユニット
１４  負圧吸引ユニット
１５  種球セット作業者１
１６  種球セット作業者２
１７  種球セットホルダ
１８  テープ進行方向
１９  種球セットホルダ動作ベクトル
２０  セット前種球
２１  セット済種球
２２  のり塗布シリンジ
２３  吸引孔パンチユニット
２４  負圧吸引ホース
２５  テープガイドレール
２６  トラクター
２７  リール取付軸
２８  送出リール
２９  ロータリー耕作部
３０  植え付け部高さ調整シリンダ
３１  ９０度ねじれ形状を持つシューター
３２  土寄せヘラ
３３  リール交換用ステップ
３４  弾丸形状パイロット軸
３５  畝立用Ｖ型ガード
３６  植え付けユニット
３７  垂直姿勢のテーピング種球排出部
３８  テーピング種球進行方向
３９  蝶番機構
【図１】
2013116095.tif 000003
【図２】
2013116095.tif 000004
【図３】
2013116095.tif 000005
【図４】
2013116095.tif 000006
【図５】
2013116095.tif 000007
【図６】
2013116095.tif 000008
【図７】
2013116095.tif 000009